(57)【要約】  緩み止めナットを有するボルトアセンブリに係り、さらに詳細には、ボルトの雄ねじ山ピッチ上で移動される１対の緩み止めナットを設け、該１対の緩み止めナットがボルトの隣接する１対の雄ねじ山を両側に間を開けて圧着することにより、ボルトの回転拘束を介して、ボルトの緩みが抑制されるようにした緩み止めナットを有するボルトアセンブリに関するものであり、そのために、第１雄ねじ山を含むボルトと、ボルトの第１雄ねじ山と螺合される第１雌ねじ山が形成され、外周面には、第１雄ねじ山の反対方向に第２雄ねじ山が形成された第１ナットと、第１ナットの第２雄ねじ山と螺合される第２雌ねじ山が形成され、中央には、第１雌ねじ山に対応するが、第１雄ねじ山が第１雌ねじ山を介して螺合された緩み止め雌ねじ山が形成された第２ナットと、を含んで構成され、緩み止め雌ねじ山の谷径は、第１雄ねじ山の谷径に比べて深く形成され、第１雄ねじ山と緩み止め雌ねじ山との間には、遊隙が発生するように構成され、第１雌ねじ山と第１雄ねじ山との間には、遊隙が発生しないように構成されたことを特徴とする緩み止めナットを有するボルトアセンブリを提供する。
2019513960.tif 000002
【特許請求の範囲】
【請求項１】
第１雄ねじ山を含むボルトと、
前記ボルトの第１雄ねじ山と螺合される第１雌ねじ山が形成され、外周面には、第１雄ねじ山の反対方向に第２雄ねじ山が形成された第１ナットと、
前記第１ナットの第２雄ねじ山と螺合される第２雌ねじ山が形成され、中央には、第１雌ねじ山に対応するが、第１雄ねじ山が第１雌ねじ山を介して螺合された緩み止め雌ねじ山が形成された第２ナットと、を含んで構成され、
前記緩み止め雌ねじ山の谷径は、第１雄ねじ山の谷径に比べて深く形成され、第１雄ねじ山と緩み止め雌ねじ山との間には、遊隙が発生するように構成され、第１雌ねじ山と第１雄ねじ山との間には、遊隙が発生しないように構成されたことを特徴とする緩み止めナットを有するボルトアセンブリ。
【請求項２】
該第１ナット及び該第２ナットが互いに対向する対向面には、凹溝及び突起が形成されたことを特徴とする請求項１に記載の緩み止めナットを有するボルトアセンブリ。
【請求項３】
前記凹溝及び突起は、それぞれ緩み止めナットの周方向に、一定間隔をおいて交互に形成されたことを特徴とする請求項２に記載の緩み止めナットを有するボルトアセンブリ。
【請求項４】
前記第２雄ねじ山のピッチと第２雌ねじ山のピッチは、第１雄ねじ山のピッチより短く形成されたことを特徴とする請求項１ないし３のうちいずれか１項に記載の緩み止めナットを有するボルトアセンブリ。
【請求項５】
前記緩み止めナットは、ｎ角形に構成され、
前記第２ナットは、第１雄ねじ山との遊隙、及び第１ナットの第２雄ねじ山ピッチを介して、１／ｎ回転されるように構成されたことを特徴とする請求項４に記載の緩み止めナットを有するボルトアセンブリ。
【発明の詳細な説明】
【技術分野】
【０００１】
本発明は、緩み止めナットを有するボルトアセンブリに係り、さらに詳細には、ボルトの雄ねじ山ピッチ上で移動しながら、ボルトの雄ねじ山に圧着し、ボルト回転を拘束することにより、ボルトが容易に緩まないようにした緩み止めナットを有するボルトアセンブリに関する。
【背景技術】
【０００２】
一般的に、ボルト及びナットは、通常２個以上に分離される物体を単一体に締結組み立てる用途として、自動車部品組み立て、電子部品組み立て、家具組み立てのような多様な分野に幅広く使用されている。
【０００３】
そのような従来のボルト及びナットの締結構造は、締結対象である被締結物に挿し込まれるボルトと、ボルトにねじ締結されるナットとからなる。
【０００４】
そして、該ボルト及び該ナットの締結力を向上させ、外部の衝撃及び振動によって緩むことを防止するために、該ボルトと該ナットとの内側には、ワッシャが挿入密着される。
【０００５】
そのようなボルト及びナットの締結構造として、締結対象である被締結物を締結するためには、まず、被締結物に形成された挿し入れ孔を介してボルトを貫通させた後、ボルトのねじ部にナットを締結させれば、ボルトにナットがねじ締結される。
【０００６】
それにより、該被締結物は、ボルトとナットとによって固定される。
【０００７】
そのとき、ボルトとナットとにワッシャを挿入させることにより、外部の衝撃及び振動による緩み防止することになる。
【０００８】
しかし、そのようなボルト及びナットの結合構造は、外部の衝撃及び振動により、ボルトからナットの締結力が容易に解除されることにより、被締結物に対する締結力が弱化されたり、喪失されたりする問題点が発生し、それを解決するために、ワッシャを挿入し、ボルト及びナットの締結力を維持したが、その場合にも、長期間後には、締結力が緩み、ボルト及びナットの締結力を完璧に維持させるのに無理があった。
【０００９】
そのような問題を解決するために、最近では、ボルトとナットとが締結された後、緩みが防止されるようにした多様な技術が開発されている。
【００１０】
一例として、特許文献１（ボルトと溝付きナットとの緩み止め構造）は、ボルト本体の先端には、多数の固定足が形成され、溝付きナットには、前記多数の固定足が挿し込み結合されるように、固定溝が形成されることにより、ボルトと溝付きナットとが締結された後、前記固定足を曲げて固定すれば、固定足がナットの分離を拘束し、ボルトとナットとの緩みが防止されるのである。
【００１１】
しかし、前述の従来のボルトとナットとの緩み止め構造は、構成が複雑であり、ボルトとナットとの締結及び締結解除のための一連の過程が非常にややこしいという問題があった。
【００１２】
また、ボルトの先端部加工が追加してなされることにより、生産コスト増大につながり、固定足折り曲げによる固定足耐久性が低下してしまうという問題があった。
【００１３】
特に、ナット締結後、複数の固定足を一つ一つ折り曲げなければならないという過程は、作業工程数を増加させ、作業便宜性及び作業生産性を落としてしまうという問題があった。
【先行技術文献】
【特許文献】
【００１４】
【特許文献１】大韓民国公開番号第１０−１９９９−０１９８９６号
【特許文献２】大韓民国登録番号第１０−１６２５００７号
【発明の概要】
【発明が解決しようとする課題】
【００１５】
本発明は、前述の目的を達成するために案出されたものであり、本発明の目的は、ボルトの雄ねじ山上に１対で締結されるが、１対のナットがボルト締結方向の反対方向に緩みながらボルトの雄ねじ山に圧着し、ボルトの回転を拘束することにより、ボルトとナットとの締結がなされた後には、外部衝撃や持続的振動が加えられるとしても、ボルト及びナットの締結が緩くなったり、緩んでしまったりすることなしに、最初締結状態を長期間維持させる緩み止めナットを有するボルトアセンブリを提供するものである。
【課題を解決するための手段】
【００１６】
本発明は、前述の目的を達成するために、第１雄ねじ山を含むボルト；前記ボルトの第１雄ねじ山と螺合される第１雌ねじ山が形成され、外周面には、第１雄ねじ山の反対方向に第２雄ねじ山が形成された第１ナット；前記第１ナットの第２雄ねじ山と螺合される第２雌ねじ山が形成され、中央には、第１雌ねじ山に対応するが、第１雄ねじ山が第１雌ねじ山を介して螺合された緩み止め雌ねじ山が形成された第２ナット；を含んで構成され、前記緩み止め雌ねじ山の谷径は、第１雄ねじ山の谷径に比べて深く形成され、第１雄ねじ山と緩み止め雌ねじ山との間には、遊隙が発生するように構成され、第１雌ねじ山と第１雄ねじ山との間には、遊隙が発生しないように構成されたことを特徴とする緩み止めナットを有するボルトアセンブリを提供する。
【００１７】
そのとき、該第１ナットと該第２ナットとが互いに対向する対向面には、凹溝及び突起が形成されたことが望ましい。
【００１８】
そのとき、前記凹溝及び突起は、それぞれ緩み止めナットの周方向に一定間隔をおいて交互に形成されたことが望ましい。
【００１９】
また、前記第２雄ねじ山のピッチは、第１雄ねじ山のピッチより短く形成されたことが望ましい。
【００２０】
そのとき、前記緩み止めナットは、ｎ角形に構成され、前記第２ナットは、第１雄ねじ山との遊隙、及び第１ナットの第２雄ねじ山ピッチを介して、１／ｎ回転されるように構成されたことが望ましい。
【発明の効果】
【００２１】
本発明による緩み止めナットを有するボルトアセンブリは、次のような効果がある。
【００２２】
第一に、第１ナット及び第２ナットで構成された１対の緩み止めナットが、ボルトの雄ねじ山にねじ締結されるが、第１ナットと第２ナットとのねじ締結方向は、ボルトの雄ねじ山に緩み止めナットがねじ締結された方向と反対方向に形成されることにより、ボルトと緩み止めナットは、互いに容易に緩まないという効果がある。
【００２３】
特に、第２ナットに形成された緩み止め雌ねじ山の谷径は、ボルトの第１雄ねじ山に形成された谷径に比べて深く形成（オーバータップ）されることにより、第１雄ねじ山と緩み止め雌ねじ山との間には遊隙が発生し、第２ナットを緩め、前記遊隙ほど第２ナットを第１ナットから離隔させることにより、緩み止め雌ねじ山は、第１雄ねじ山に密着され、ボルトが緩み方向に回動されることを拘束させることになる。
【００２４】
それにより、ボルトが緩み止めナットからの緩みを最大限抑制し、ボルトと緩み止めナットとの間に、結合力が半永久的に維持されることになる。
【００２５】
第二に、第１ナットと第２ナットとの対向面には、突起と凹溝とが形成されることにより、第２ナットの緩み回転を介して、緩み止め雌ねじ山が第１雄ねじ山に密着したとき、前記突起は、凹溝から外れて対向面に圧着され、第２ナットが復元されることを最大限抑制させることができることになる。
【００２６】
それにより、ボルトの雄ねじ山に圧着している緩み止めナットの拘束力がさらに強くなるので、ボルトとナットとの緩み止めを極大化させることができるという効果がある。
【００２７】
第三に、第２雄ねじ山のピッチと、第２雌ねじ山のピッチとが第１雄ねじ山のピッチより短く形成されることにより、第２ナットの緩み回転範囲は、最大化される。
【００２８】
それにより、突起と凹溝との距離が最大化されることにより、凹溝から外れた突起が凹溝に容易に復元されることを抑制することができるという効果がある。
【図面の簡単な説明】
【００２９】
【図１】本発明の望ましい実施形態による緩み止めナットを有するボルトアセンブリを示した分解斜視図である。
【図２】本発明の望ましい実施形態による緩み止めナットを有するボルトアセンブリを示した斜視図である。
【図３】本発明の望ましい実施形態による緩み止めナットを有するボルトアセンブリを示した断面図である。
【図４】本発明の望ましい実施形態による緩み止めナットを有するボルトアセンブリにおいて、緩み止めのために第２ナットが回転され、第１ナットから離隔された状態を示した斜視図である。
【図５Ａ】本発明の望ましい実施形態による緩み止めナットを有するボルトアセンブリにおいて、緩み止めのために第２ナットが回転され、第１ナットから離隔されつつ、緩み止めナットの緩み止め雌ねじ山が、ボルトの第１雄ねじ山に圧着する状態を示した作用図である。
【図５Ｂ】本発明の望ましい実施形態による緩み止めナットを有するボルトアセンブリにおいて、緩み止めのために第２ナットが回転され、第１ナットから離隔されつつ、緩み止めナットの緩み止め雌ねじ山が、ボルトの第１雄ねじ山に圧着する状態を示した作用図である。
【図６Ａ】本発明の望ましい実施形態による緩み止めナットを有するボルトアセンブリにおいて、緩み止めのために、第２ナットが回転された回転範囲を示した側面図である。
【図６Ｂ】本発明の望ましい実施形態による緩み止めナットを有するボルトアセンブリにおいて、緩み止めのために、第２ナットが回転された回転範囲を示した側面図である。
【発明を実施するための形態】
【００３０】
本明細書、及び特許請求の範囲に使用された用語や単語は、一般的であったり、辞書的であったりする意味に限定解釈されるものではなく、発明者は、自分の発明について、最善の方法で説明するために用語の概念を適切に定義することができるという原則に則り、本発明の技術的思想に符合する意味と概念とに解釈されなければならない。
【００３１】
以下、添付された図１ないし図６Ｂを参照し、本発明の望ましい実施形態による、緩み止めナットを有するボルトアセンブリ（以下、「ボルトアセンブリ」とする）について説明する。
【００３２】
該ボルトアセンブリは、ボルトの雄ねじ山上に、１対の緩み止めナットを具備した技術的特徴がある。
【００３３】
前記緩み止めナットは、ボルトとの締結とは別個に、ボルトのねじ山上で締結される１対で構成され、１対の緩み止めナットが緩みながら起こる作用を利用し、雄ねじ山に圧着することにより、ボルトの回転を拘束し、ボルト緩みが抑制されるようにしたのである。
【００３４】
ボルトアセンブリは、図１に図示されているように、ボルト１００と緩み止めナット２００とを含んで構成される。
【００３５】
ボルト１００は、緩み止めナット２００と締結され、被締結物を固定させる役割を行う。
【００３６】
ボルト１００は、図１に図示されているようにヘッド部１１０とねじ部１２０とから構成される。
【００３７】
ヘッド部１１０は、工具使用のための部分であり、多様な形態でもっても提供される。
【００３８】
本明細書においては、説明の便宜上、六角形状に図示されているが、そのような形態に限定されるものではない。
【００３９】
また、説明の便宜上、ヘッド部１１０を図示したが、必ずしもヘッド部１１０が構成されなければならないものではない。
【００４０】
そして、ねじ部１２０は、緩み止めナット２００と螺合される部位であり、ヘッド部１１０から延設される。
【００４１】
ねじ部１２０には、雄ねじ山が形成され、そのねじ山形成方向は、制限されるものではない。
【００４２】
本明細書においては、、右回りねじ山が形成されたものを例にし、説明の理解の一助とするために、第１雄ねじ山１２１ということにする。
【００４３】
次に、緩み止めナット２００は、ボルト１００とねじ締結されて被締結物を固定させ、１対で構成される。
【００４４】
１対の緩み止めナット２００は、ボルト１００の第１雄ねじ山１２１上で、互いに離隔されて間が開きながら、ボルト１００の第１雄ねじ山１２１に圧着し、ボルト１００の回転を拘束することにより、ボルト１００の回転によるナットとの緩み現象を抑制する役割を行う。
【００４５】
緩み止めナット２００は、前述のように１対で構成されるが、説明の理解を助けるために、第１ナット２１０及び第２ナット２２０とする。
【００４６】
第１ナット２１０は、緩み止めナット２００の一側を構成し、その中央には、ボルト１００との締結のために、第１雌ねじ山２０１が形成されたねじ孔が形成され、ねじ孔の外周面には、第２雄ねじ山２１１が形成される。
【００４７】
第１雌ねじ山２０１は、ボルト１００の第１雄ねじ山１２１に対応し、相互間に遊隙が発生しないように設計されることにより、第１雄ねじ山１２１と第１雌ねじ山２０１は、互いに堅固に結合される。
【００４８】
第２雄ねじ山２１１は、第２ナット２２０とのねじ締結のために形成された部位であり、そのねじ山形成方向は、第１雄ねじ山１２１のねじ形成方向に対して反対方向に形成される。
【００４９】
すなわち、第２雄ねじ山２１１は、第１雄ねじ山１２１のねじ方向に対し、逆ねじ山に形成されたのである。
【００５０】
第１雄ねじ山１２１が右回りねじであることを例にするとき、前記第２雄ねじ山２１１は、左回りねじに形成されるようにしたのである。
【００５１】
第２雄ねじ山２１１は、第２ナット２２０とのねじ締結と共に、第２ナット２２０の緩み回転を介して、ボルト１００の第１雄ねじ山１２１上で移動させるための構成である。
【００５２】
すなわち、第２ナット２２０を一側に回転させれば、第１ナット２１０に締め付けられながら密着され、第２ナット２２０を他側に回転すれば、第１ナット２１０から緩みながら、第１ナット２１０から離隔され、ボルト１００の第１雄ねじ山１２１上で移動されるようにした構成でもある。
【００５３】
一方、前記第２雄ねじ山２１１のピッチは、ボルト１００の第１雄ねじ山１２１ピッチより短く形成される。
【００５４】
それは、第２ナット２２０の回転範囲を最大限確保するためである。
【００５５】
すなわち、第２雄ねじ山２１１のピッチを短くすることにより、第２ナット２２０の回転範囲は最大化されるので、後述する突起が、凹溝から最大限遠く外れることができることになる。
【００５６】
それについての詳細な説明は、後述することにする。
【００５７】
本明細書においては、説明の便宜上、緩み止めナット２００を六角形であるとして例にするとき、第１ナット２１０に形成された六角形態の第１対向面２１２には、複数の凹溝２１２ａが形成される。
【００５８】
凹溝２１２ａは、第１ナット２１０と第２ナット２２０とが互いに密着された状態が維持されるように、後述する突起２２２ａが第１対向面２１２に干渉されることを防止するためのものである。
【００５９】
凹溝２１２ａの深さは、突起２２２ａの突出長に対応するように形成され、凹溝２１２ａの位置は、第１対向面２１２の角に対応する部位に交互に形成されることが望ましい。
【００６０】
一方、第２ナット２２０は、緩み止めナット２００の他側を構成し、その中央には、第１ナット２１０とのねじ締結のための第２雌ねじ山２２１が形成され、第２雌ねじ山２２１が形成された中央には、第１雄ねじ山１２１がねじ締結されるための緩み止め雌ねじ山２２１ａが形成される。
【００６１】
第２雌ねじ山２２１は、第１ナット２１０の第２雄ねじ山２１１とねじ締結される構成であり、第２雌ねじ山２２１のねじ山方向も、逆ねじ山に形成される。
【００６２】
また、第２雌ねじ山２２１のピッチは、第２雄ねじ山２１１のピッチに対応するので、第１雄ねじ山１２１のピッチに比べて短く形成されるということは、言うまでもない。
【００６３】
すなわち、第２雌ねじ山２２１のピッチ設計により、第２ナット２２０の回転範囲は、最大化されることになる。
【００６４】
そのような第２雌ねじ山２２１と第２雄ねじ山２１１とのピッチ設計は、後述する緩み止め雌ねじ山２２１ａの谷径と共に、第２ナット２２０が１／６回転されるように設計されることが望ましい。
【００６５】
すなわち、第２雌ねじ山２２１と第２雄ねじ山２１１との短いピッチと共に、後述する緩み止め雌ねじ山２２１ａの谷径設計を介して、緩み止めナット２００が六角形であることを考慮するとき、第２ナット２２０の回転は、１／６になるように設計されることが望ましいのである。
【００６６】
そして、緩み止め雌ねじ山２２１ａは、第１ナット２１０の第１雌ねじ山２０１を通過したボルト１００の第１雄ねじ山１２１とねじ締結され、ボルト１００の緩みを抑制する役割を行う。
【００６７】
緩み止め雌ねじ山２２１ａが形成する谷は、図３に図示されているように、第１雄ねじ山１２１が形成する谷径より深く形成される。
【００６８】
そのように、緩み止め雌ねじ山２２１ａの谷径と第１雄ねじ山１２１の谷径との差が発生することにより、図３を介して分かるように、第１雄ねじ山１２１と緩み止め雌ねじ２２１ａとの間には、遊隙が発生することになる。
【００６９】
そのような遊隙形成により、前記遊隙ほどの第２ナット２２０の移動間隔が確保される。
【００７０】
すなわち、第２ナット２２０が、図面上（図３）、左側に移動される空間が確保されるので、第１ナット２１０からの第２ナット２２０の緩み回転を介して、前記第２ナット２２０は、第１雄ねじ山１２１上で移動され、緩み止め雌ねじ山２２１ａは、第１雄ねじ山１２１に圧着し、ボルト１００の回動を拘束することができるのである。
【００７１】
前述のように、ボルト１００の回動が拘束されるので、緩み止めナット２００からのボルト１００の緩みが抑制されるのである。
【００７２】
一方、前記緩み止め雌ねじ山２２１ａの谷径は、第２ナット２２０の移動のための第２ナット２２０の緩み回転範囲が１／２ｎになるように形成されることが望ましい。
【００７３】
すなわち、本明細書においては、緩み止めナット２００が六角形であることを勘案するとき、前記緩み止め雌ねじ山２２１ａの谷径は、第２ナット２２０が１／１２回り回転されるようにしたものである。
【００７４】
それにより、前述のように、緩み止め雌ねじ山２２１ａの谷径に係わる技術的特徴と、第２雄ねじ山２１１の短いピッチに係わる技術的特徴とが加えられ、第２ナット２２０の回転は、１／ｎ、すなわち、１／６回り回転されるように構成されたのである。
【００７５】
そして、第２ナット２２０の第２対向面２２２には、第１ナット２１０の凹溝２１２ａに挿入配置される突起２２２ａが形成される。
【００７６】
突起２２２ａは、１対の緩み止めナット２００が離隔され、ボルト１００の回転を拘束している緩み止め雌ねじ山２２１ａが、第１雄ねじ山１２１に圧着している力を極大化させ、回転された第２ナット２２０が復元されることを最大限抑制するための構成である。
【００７７】
すなわち、突起２２２ａは、第１ナット２１０の第１対向面２１２に圧着され、突起２２２ａの長さほど、第２ナット２２０を第１ナット２１０からさらに押し出すが、それにより、第１雄ねじ山１２１に圧着している緩み止め雌ねじ山２２１ａの圧着力は、極大化され、ボルト１００の回転拘束力を強化させることができるのである。
【００７８】
また、突起２２２ａが第１対向面２１２に圧着しているので、第２ナット２２０の回転が容易になされないように抑止力を発揮するのである。
【００７９】
前記突起２２２ａは、第２対向面２２２から突設され、第２対向面２２２の角に対応する部位に交互に形成されることが望ましい。
【００８０】
すなわち、六角形態の第２対向面２２２には、３個の突起２２２ａが形成されることが望ましいが、数と位置とが限定されるものではない。
【００８１】
以下、前述の構成によってなるボルトアセンブリの結合及び作用について説明する。
【００８２】
第１ナット２１０の第２雄ねじ山２１１を第２ナット２２０の第２雌ねじ山２２１に挿入した後、左回り方向に回転させて締結させることにより、緩み止めナット２００が設けられる。
【００８３】
次に、被締結物（図示せず）に形成された通孔を介してボルト１００を通過させ、図２に図示されているように、ボルト１００の端部に、前記緩み止めナット２００を締結させる。
【００８４】
そのとき、ボルト１００の第１雄ねじ山２１１を、緩み止めナット２００の第１雌ねじ山２０１に挿入した後、右回り方向に回転させて締結させる。
【００８５】
それから分かるように、緩み止めナット２００間のねじ締結方向と、ボルト１００と緩み止めナット２００とのねじ締結方向とが反対であるということが分かるので、互いに緩む方向も反対になり、相互間に緩みが抑制されることになる。
【００８６】
また、第２ナット２２０に形成された突起２２２ａは、第１ナット２１０に形成された凹溝２１２ａに挿入されることにより、ボルト１００の第１雄ねじ山１２１上において、第１ナット２１０と第２ナット２２０は、互いに密着された状態になる。
【００８７】
そのとき、ボルト１００の第１雄ねじ山１２１は、図３及び図５Ａに図示されているように、第１雌ねじ山２０１に正確に対応するが、緩み止め雌ねじ山２２１ａには、相互間の谷径差により、遊隙が発生した状態であるということが分かる。
【００８８】
一方、そのような状態で、第２ナット２２０を緩み方向に回転させる。
【００８９】
そのように、第２ナット２２０を緩み方向に回転させることにより、第２ナット２１０は、図４及び図６に図示されているように、第１ナット２１０から緩みながら離隔され、凹溝２１２ａに挿入されていた突起２２２ａは、凹溝２１２ａから外れ、第１対向面２１２に密着され、第１ナット２１０と第２ナット２２０との離隔状態を強制的に維持させることになる。
【００９０】
そのとき、図５Ａ及び図５Ｂに図示されているように、第２ナット２２０の緩み止め雌ねじ山２２１ａは、緩み方向に移動され、隣接する第１雄ねじ山１２１に圧着することになる。
【００９１】
それは、第２ナット２２０が緩み回転を介して、第１ナット２１０から遊隙距離ほど間が開きながら、第１雄ねじ山１２１を押して圧着させることにより、ボルト１００の回転は、拘束されるのである。
【００９２】
仮に外部振動がボルトアセンブリに加えられても、ボルト１００は、左回り方向に緩もうということになり、第２ナット２２０は、右回り方向に緩もうとすることにより、緩み止め雌ねじ山２２１ａが第１雄ねじ山２１１に圧着している状態が解除されなくなる。
【００９３】
特に、突起２２２ａが凹溝２１２ａから外れ、図４及び図５Ｂに図示されているように、第１対向面２１２に密着された状態になるので、第２ナット２２０は、突起２２２ａの長さほど第１ナット２１０から離隔される作用を受けることになるが、それにより、前記緩み止め雌ねじ山２２１ａが第１雄ねじ山２１１を密着する力は、極大化されることになる。
【００９４】
また、第２雄ねじ山２１１と第２雌ねじ山２２１とのピッチは、第１雄ねじ山１２１と第１雌ねじ山２０１とのピッチより短く形成されていることにより、緩み止め雌ねじ山２２１ａの谷径に係わる技術的特徴と共に、第２ナット２２０の回転範囲は、最大化されることになる、図６Ａ及び図６Ｂに図示されているように、１／６回転がなされる。
【００９５】
そのように、凹溝２１２ａでの突起２２２ａの復帰距離が最大である状態であるので、外部振動時にも、突起２２２ａが、凹溝２１２ａに容易に復帰されることは、発生しなくなる。
【００９６】
それにより、ボルト１００と緩み止めナット２００との緩みが容易に発生しないので、ボルト１００と緩み止めナット２００との締結力は長期間維持されることになる。
【００９７】
以上で説明したように、本発明による緩み止めナットを有するボルトアセンブリは、ボルトの雄ねじ山上で移動される１対の緩み止めナットが設けられた技術的特徴がある。
【００９８】
それにより、緩み止めナットの雌ねじ山が雄ねじ山に圧着して押し出す力が作用することにより、ボルトの回転が拘束されるので、ボルトの緩みが抑制されることになる。
【００９９】
特に、１対の緩み止めナットの間に突起及び凹溝を形成し、突起をして、１対の緩み止めナットを押し出す力を作用させることにより、前記雄ねじ山に圧着する力を極大化させることができるので、ボルトの緩み止めを介して、締結力が長期間維持されることになる。
【０１００】
以上において、本発明は、記載された具体例について詳細に説明されたが、本発明の技術思想範囲内において、多様な変形及び修正が可能であるということは、当業者において明白なことであり、そのような変形及び修正は、特許請求の範囲に属するということは言うまでもないのである。
【図１】
2019513960.tif 000003
【図２】
2019513960.tif 000004
【図３】
2019513960.tif 000005
【図４】
2019513960.tif 000006
【図５ａ】
2019513960.tif 000007
【図５ｂ】
2019513960.tif 000008
【図６ａ】
2019513960.tif 000009
【図６ｂ】
2019513960.tif 000010
【国際調査報告】
2019513960.tif 000011
2019513960.tif 000012
2019513960.tif 000013
2019513960.tif 000014